(57)【要約】      （修正有）【課題】スライド量にかかわらず同じスライド機構を採用可能な構成を提供する。【解決手段】第１スライドギヤ６２ａは、第１係合爪７２ａが次の係合穴２７に対して係合可能な位置まで第１ロック部７０ａがスライド方向に沿って所定距離にて当該第１スライドギヤ６２ａに対して相対移動するように形成され、第２スライドギヤ６３ａは、当該第２スライドギヤ６３ａがスライド方向に沿って所定距離にて第１ロック部７０ａに対して相対移動するように形成される。また、第３スライドギヤ６４ａは、第２係合爪７２ｂが次の係合穴２７に対して係合可能な位置まで第２ロック部７０ｂがスライド方向に沿って所定距離にて当該第３スライドギヤ６４ａに対して相対移動するように形成され、第４スライドギヤ６５ａは、当該第４スライドギヤ６５ａがスライド方向に沿って所定距離にて第２ロック部７０ｂに対して相対移動するように形成される。【選択図】図９
2020093750.tif 000002
【特許請求の範囲】
【請求項１】
床面に固定されて、複数の係合穴がスライド方向に沿って等間隔に形成されるロアレールと、
シートに固定されるとともに前記ロアレールに対しスライド可能に設けられるアッパーレールと、
スライド時に回転駆動するモータと、
前記アッパーレールに組み付けられて、前記モータの回転力に応じて前記アッパーレールを前記ロアレールに対してスライドさせるスライド機構と、
を備えるシートスライド装置であって、
前記スライド機構は、
前記モータの回転力に応じて回転する入力側ギヤと、
同軸的に円弧状の第１スライドギヤが設けられる第１ギヤと、
同軸的に第２スライドギヤが設けられる第２ギヤと、
同軸的に円弧状の第３スライドギヤが設けられる第３ギヤと、
同軸的に第４スライドギヤが設けられる第４ギヤと、
前記第１スライドギヤ及び前記第２スライドギヤに噛合可能な第１ラックと前記係合穴に係合可能な所定数の第１係合爪とが一側に形成される第１ロック部と、
前記第３スライドギヤ及び前記第４スライドギヤに噛合可能な第２ラックと前記係合穴に係合可能な所定数の第２係合爪とが一側に形成される第２ロック部と、
前記第１ラックを前記第１スライドギヤ及び前記第２スライドギヤのいずれか一方に押し付ける方向であって、前記第１係合爪を前記係合穴に係合させる方向に、前記第１ロック部を付勢する第１付勢部と、
前記第２ラックを前記第３スライドギヤ及び前記第４スライドギヤのいずれか一方に押し付ける方向であって、前記第２係合爪を前記係合穴に係合させる方向に、前記第２ロック部を付勢する第２付勢部と、
を備え、
前記第１ギヤ及び前記第２ギヤのうちの一方は、他方と前記入力側ギヤとの双方に噛合し、
前記第３ギヤ及び前記第４ギヤのうちの一方は、他方と前記入力側ギヤとの双方に噛合し、
前記第１ラックは、前記第１スライドギヤが円弧状に形成されることで、前記第１付勢部の付勢力に応じて、前記第１スライドギヤに噛合する第１噛合状態と、前記第１スライドギヤに噛合していない状態にて前記第２スライドギヤに噛合する第２噛合状態と、のいずれかの状態に維持され、
前記第２ラックは、前記第３スライドギヤが円弧状に形成されることで、前記第２付勢部の付勢力に応じて、前記第３スライドギヤに噛合する第３噛合状態と、前記第３スライドギヤに噛合していない状態にて前記第４スライドギヤに噛合する第４噛合状態と、のいずれかの状態に維持され、
前記第１スライドギヤは、前記第１噛合状態中に、前記第１係合爪と前記係合穴との係合が解除されて、前記第１係合爪が次の前記係合穴に対して係合可能な位置まで前記第１ロック部が前記スライド方向に沿って所定距離にて当該第１スライドギヤに対して相対移動するように形成され、
前記第２スライドギヤは、前記第２噛合状態中に、前記第１係合爪と前記係合穴とが係合した状態で、当該第２スライドギヤが前記スライド方向に沿って前記所定距離にて前記第１ロック部に対して相対移動するように形成され、
前記第３スライドギヤは、前記第３噛合状態中に、前記第２係合爪と前記係合穴との係合が解除されて、前記第２係合爪が次の前記係合穴に対して係合可能な位置まで前記第２ロック部が前記スライド方向に沿って前記所定距離にて当該第３スライドギヤに対して相対移動するように形成され、
前記第４スライドギヤは、前記第４噛合状態中に、前記第２係合爪と前記係合穴とが係合した状態で、当該第４スライドギヤが前記スライド方向に沿って前記所定距離にて前記第２ロック部に対して相対移動するように形成されることを特徴とするシートスライド装置。
【請求項２】
床面に固定されて、複数の係合穴がスライド方向に沿って等間隔に形成されるロアレールと、
シートに固定されるとともに前記ロアレールに対しスライド可能に設けられるアッパーレールと、
スライド時に回転駆動するモータと、
前記アッパーレールに組み付けられて、前記モータの回転力に応じて前記アッパーレールを前記ロアレールに対してスライドさせるスライド機構と、
を備えるシートスライド装置であって、
前記スライド機構は、
前記モータの回転力に応じて回転する入力側ギヤと、
同軸的に円弧状の第１スライドギヤが設けられる第１ギヤと、
同軸的に第２スライドギヤが設けられる第２ギヤと、
同軸的に円弧状の第３スライドギヤが設けられる第３ギヤと、
同軸的に第４スライドギヤが設けられる第４ギヤと、
一側に前記第１スライドギヤ及び前記第２スライドギヤに噛合可能な第１ラックが形成され、他側に前記係合穴に係合可能な所定数の第１係合爪が形成される第１ロック部と、
一側に前記第３スライドギヤ及び前記第４スライドギヤに噛合可能な第２ラックが形成され、他側に前記係合穴に係合可能な所定数の第２係合爪が形成される第２ロック部と、
前記第１ラックを前記第１スライドギヤ及び前記第２スライドギヤのいずれか一方に押し付ける方向であって、前記第１係合爪と前記係合穴との係合を解除する方向に、前記第１ロック部を付勢する第１付勢部と、
前記第２ラックを前記第３スライドギヤ及び前記第４スライドギヤのいずれか一方に押し付ける方向であって、前記第２係合爪と前記係合穴との係合を解除する方向に、前記第２ロック部を付勢する第２付勢部と、
を備え、
前記第１ギヤ及び前記第２ギヤのうちの一方は、他方と前記入力側ギヤとの双方に噛合し、
前記第３ギヤ及び前記第４ギヤのうちの一方は、他方と前記入力側ギヤとの双方に噛合し、
前記第１ラックは、前記第１スライドギヤが円弧状に形成されることで、前記第１付勢部の付勢力に応じて、前記第１スライドギヤに噛合する第１噛合状態と、前記第１スライドギヤに噛合していない状態にて前記第２スライドギヤに噛合する第２噛合状態と、のいずれかの状態に維持され、
前記第２ラックは、前記第３スライドギヤが円弧状に形成されることで、前記第２付勢部の付勢力に応じて、前記第３スライドギヤに噛合する第３噛合状態と、前記第３スライドギヤに噛合していない状態にて前記第４スライドギヤに噛合する第４噛合状態と、のいずれかの状態に維持され、
前記第２スライドギヤは、前記第２噛合状態中に、前記第１係合爪と前記係合穴との係合が解除されて、前記第１係合爪が次の前記係合穴に対して係合可能な位置まで前記第１ロック部が前記スライド方向に沿って所定距離にて当該第１スライドギヤに対して相対移動するように形成され、
前記第１スライドギヤは、前記第１噛合状態中に、前記第１係合爪と前記係合穴とが係合した状態で、当該第１スライドギヤが前記スライド方向に沿って前記所定距離にて前記第１ロック部に対して相対移動するように形成され、
前記第４スライドギヤは、前記第４噛合状態中に、前記第２係合爪と前記係合穴との係合が解除されて、前記第２係合爪が次の前記係合穴に対して係合可能な位置まで前記第２ロック部が前記スライド方向に沿って前記所定距離にて当該第４スライドギヤに対して相対移動するように形成され、
前記第３スライドギヤは、前記第３噛合状態中に、前記第２係合爪と前記係合穴とが係合した状態で、当該第３スライドギヤが前記スライド方向に沿って前記所定距離にて前記第２ロック部に対して相対移動するように形成されることを特徴とするシートスライド装置。
【請求項３】
前記第１スライドギヤと前記第２スライドギヤと前記第３スライドギヤと前記第４スライドギヤとが同じ形状となるように、前記第１ギヤと前記第２ギヤと前記第３ギヤと前記第４ギヤとが同じ形状に形成されることを特徴とする請求項１又は２に記載のシートスライド装置。
【発明の詳細な説明】
【技術分野】
【０００１】
本発明は、車両用のシートを前後にスライドさせるためのシートスライド装置に関するものである。
【背景技術】
【０００２】
従来、車両用のシートを前後にスライドさせるシートスライド装置として、例えば、特許文献１に開示されるシートスライド装置が知られている。このシートスライド装置は、車体側に固定されるロアレール部材と、このロアレール部材に対して摺動自在にシート側に固定されるアッパーレール部材と、このアッパーレール部材の内部において後方へ延びるスクリューシャフトと、を備えている。また、シートスライド装置は、スクリューシャフトを挿通させて回動可能に支持し、ボルトを用いてアッパーレール部材に固定されるブラケットを備えている。そして、スクリューシャフトをロアレール部材に固定されたナット部材に螺合させ、スクリューシャフトの回動方向に応じて、アッパーレール部材をロアレール部材に対して前後にスライドさせる構成となっている。
【先行技術文献】
【特許文献】
【０００３】
【特許文献１】特開２０１１−１７３５５６号公報
【発明の概要】
【発明が解決しようとする課題】
【０００４】
ところで、上述のような構成では、スライド量に応じて必要となるスクリューシャフトの長さが変わるため、要求されるスライド量ごとにそのスライド量に応じた長さのスクリューシャフトを用意する必要があり、スクリューシャフト等の部品の標準化が困難であるという問題がある。また、スライド量が増えるほど、スクリューシャフトが長くなるために、シートスライド装置の軽量化が困難であるという問題も生じる。また、例えば、ラックとピニオンとを利用したシートスライド装置であっても、スライド量に応じた長さのラックを用意する必要があり、標準化及び軽量化が困難であるという同様な問題がある。
【０００５】
本発明は、上述した課題を解決するためになされたものであり、その目的とするところは、スライド量にかかわらず同じスライド機構を採用可能な構成を提供することにある。
【課題を解決するための手段】
【０００６】
上記目的を達成するため、特許請求の範囲に記載の請求項１の発明は、
床面に固定されて、複数の係合穴（２７）がスライド方向に沿って等間隔に形成されるロアレール（２０）と、
シートに固定されるとともに前記ロアレールに対しスライド可能に設けられるアッパーレール（３０）と、
スライド時に回転駆動するモータ（４１）と、
前記アッパーレールに組み付けられて、前記モータの回転力に応じて前記アッパーレールを前記ロアレールに対してスライドさせるスライド機構（５０）と、
を備えるシートスライド装置（１０）であって、
前記スライド機構は、
前記モータの回転力に応じて回転する入力側ギヤ（６１）と、
同軸的に円弧状の第１スライドギヤ（６２ａ）が設けられる第１ギヤ（６２）と、
同軸的に第２スライドギヤ（６３ａ）が設けられる第２ギヤ（６３）と、
同軸的に円弧状の第３スライドギヤ（６４ａ）が設けられる第３ギヤ（６４）と、
同軸的に第４スライドギヤ（６５ａ）が設けられる第４ギヤ（６５）と、
前記第１スライドギヤ及び前記第２スライドギヤに噛合可能な第１ラック（７１ａ）と前記係合穴に係合可能な所定数の第１係合爪（７２ａ）とが一側に形成される第１ロック部（７０ａ）と、
前記第３スライドギヤ及び前記第４スライドギヤに噛合可能な第２ラック（７１ｂ）と前記係合穴に係合可能な所定数の第２係合爪（７２ｂ）とが一側に形成される第２ロック部（７０ｂ）と、
前記第１ラックを前記第１スライドギヤ及び前記第２スライドギヤのいずれか一方に押し付ける方向であって、前記第１係合爪を前記係合穴に係合させる方向に、前記第１ロック部を付勢する第１付勢部（８０ａ）と、
前記第２ラックを前記第３スライドギヤ及び前記第４スライドギヤのいずれか一方に押し付ける方向であって、前記第２係合爪を前記係合穴に係合させる方向に、前記第２ロック部を付勢する第２付勢部（８０ｂ）と、
を備え、
前記第１ギヤ及び前記第２ギヤのうちの一方は、他方と前記入力側ギヤとの双方に噛合し、
前記第３ギヤ及び前記第４ギヤのうちの一方は、他方と前記入力側ギヤとの双方に噛合し、
前記第１ラックは、前記第１スライドギヤが円弧状に形成されることで、前記第１付勢部の付勢力に応じて、前記第１スライドギヤに噛合する第１噛合状態と、前記第１スライドギヤに噛合していない状態にて前記第２スライドギヤに噛合する第２噛合状態と、のいずれかの状態に維持され、
前記第２ラックは、前記第３スライドギヤが円弧状に形成されることで、前記第２付勢部の付勢力に応じて、前記第３スライドギヤに噛合する第３噛合状態と、前記第３スライドギヤに噛合していない状態にて前記第４スライドギヤに噛合する第４噛合状態と、のいずれかの状態に維持され、
前記第１スライドギヤは、前記第１噛合状態中に、前記第１係合爪と前記係合穴との係合が解除されて、前記第１係合爪が次の前記係合穴に対して係合可能な位置まで前記第１ロック部が前記スライド方向に沿って所定距離にて当該第１スライドギヤに対して相対移動するように形成され、
前記第２スライドギヤは、前記第２噛合状態中に、前記第１係合爪と前記係合穴とが係合した状態で、当該第２スライドギヤが前記スライド方向に沿って前記所定距離にて前記第１ロック部に対して相対移動するように形成され、
前記第３スライドギヤは、前記第３噛合状態中に、前記第２係合爪と前記係合穴との係合が解除されて、前記第２係合爪が次の前記係合穴に対して係合可能な位置まで前記第２ロック部が前記スライド方向に沿って前記所定距離にて当該第３スライドギヤに対して相対移動するように形成され、
前記第４スライドギヤは、前記第４噛合状態中に、前記第２係合爪と前記係合穴とが係合した状態で、当該第４スライドギヤが前記スライド方向に沿って前記所定距離にて前記第２ロック部に対して相対移動するように形成されることを特徴とする。
【０００７】
請求項２の発明は、
床面に固定されて、複数の係合穴（２７）がスライド方向に沿って等間隔に形成されるロアレール（２０）と、
シートに固定されるとともに前記ロアレールに対しスライド可能に設けられるアッパーレール（３０）と、
スライド時に回転駆動するモータ（４１）と、
前記アッパーレールに組み付けられて、前記モータの回転力に応じて前記アッパーレールを前記ロアレールに対してスライドさせるスライド機構（５０）と、
を備えるシートスライド装置（１０）であって、
前記スライド機構は、
前記モータの回転力に応じて回転する入力側ギヤ（６１）と、
同軸的に円弧状の第１スライドギヤ（６２ａ）が設けられる第１ギヤ（６２）と、
同軸的に第２スライドギヤ（６３ａ）が設けられる第２ギヤ（６３）と、
同軸的に円弧状の第３スライドギヤ（６４ａ）が設けられる第３ギヤ（６４）と、
同軸的に第４スライドギヤ（６５ａ）が設けられる第４ギヤ（６５）と、
一側に前記第１スライドギヤ及び前記第２スライドギヤに噛合可能な第１ラック（７１ａ）が形成され、他側に前記係合穴に係合可能な所定数の第１係合爪（７２ａ）が形成される第１ロック部（７０ｃ）と、
一側に前記第３スライドギヤ及び前記第４スライドギヤに噛合可能な第２ラック（７１ｂ）が形成され、他側に前記係合穴に係合可能な所定数の第２係合爪（７２ｂ）が形成される第２ロック部（７０ｄ）と、
前記第１ラックを前記第１スライドギヤ及び前記第２スライドギヤのいずれか一方に押し付ける方向であって、前記第１係合爪と前記係合穴との係合を解除する方向に、前記第１ロック部を付勢する第１付勢部（８０ａ）と、
前記第２ラックを前記第３スライドギヤ及び前記第４スライドギヤのいずれか一方に押し付ける方向であって、前記第２係合爪と前記係合穴との係合を解除する方向に、前記第２ロック部を付勢する第２付勢部（８０ｂ）と、
を備え、
前記第１ギヤ及び前記第２ギヤのうちの一方は、他方と前記入力側ギヤとの双方に噛合し、
前記第３ギヤ及び前記第４ギヤのうちの一方は、他方と前記入力側ギヤとの双方に噛合し、
前記第１ラックは、前記第１スライドギヤが円弧状に形成されることで、前記第１付勢部の付勢力に応じて、前記第１スライドギヤに噛合する第１噛合状態と、前記第１スライドギヤに噛合していない状態にて前記第２スライドギヤに噛合する第２噛合状態と、のいずれかの状態に維持され、
前記第２ラックは、前記第３スライドギヤが円弧状に形成されることで、前記第２付勢部の付勢力に応じて、前記第３スライドギヤに噛合する第３噛合状態と、前記第３スライドギヤに噛合していない状態にて前記第４スライドギヤに噛合する第４噛合状態と、のいずれかの状態に維持され、
前記第２スライドギヤは、前記第２噛合状態中に、前記第１係合爪と前記係合穴との係合が解除されて、前記第１係合爪が次の前記係合穴に対して係合可能な位置まで前記第１ロック部が前記スライド方向に沿って所定距離にて当該第１スライドギヤに対して相対移動するように形成され、
前記第１スライドギヤは、前記第１噛合状態中に、前記第１係合爪と前記係合穴とが係合した状態で、当該第１スライドギヤが前記スライド方向に沿って前記所定距離にて前記第１ロック部に対して相対移動するように形成され、
前記第４スライドギヤは、前記第４噛合状態中に、前記第２係合爪と前記係合穴との係合が解除されて、前記第２係合爪が次の前記係合穴に対して係合可能な位置まで前記第２ロック部が前記スライド方向に沿って前記所定距離にて当該第４スライドギヤに対して相対移動するように形成され、
前記第３スライドギヤは、前記第３噛合状態中に、前記第２係合爪と前記係合穴とが係合した状態で、当該第３スライドギヤが前記スライド方向に沿って前記所定距離にて前記第２ロック部に対して相対移動するように形成されることを特徴とする。
なお、上記各括弧内の符号は、後述する実施形態に記載の具体的手段との対応関係を示すものである。
【発明の効果】
【０００８】
請求項１の発明では、同軸的に円弧状の第１スライドギヤが設けられる第１ギヤと同軸的に第２スライドギヤが設けられる第２ギヤとのうちの一方は、他方と入力側ギヤとの双方に噛合している。また、同軸的に円弧状の第３スライドギヤが設けられる第３ギヤと同軸的に第４スライドギヤが設けられる第４ギヤとのうちの一方は他方と入力側ギヤとの双方に噛合している。また、第１スライドギヤ及び第２スライドギヤに噛合可能な第１ラックと、ロアレールの係合穴に係合可能な所定数の第１係合爪とが一側に形成される第１ロック部は、第１ラックが第１スライドギヤ及び第２スライドギヤのいずれか一方に押し付けられる方向であって、第１係合爪を係合穴に係合させる方向に、第１付勢部により付勢される。また、第３スライドギヤ及び第４スライドギヤに噛合可能な第２ラックと、ロアレールの係合穴に係合可能な所定数の第２係合爪とが一側に形成される第２ロック部は、第２ラックが第３スライドギヤ及び第４スライドギヤのいずれか一方に押し付けられる方向であって、第２係合爪を係合穴に係合させる方向に、第２付勢部により付勢される。そして、第１ラックは、第１スライドギヤが円弧状に形成されることで、第１付勢部の付勢力に応じて、第１スライドギヤに噛合する第１噛合状態と、第１スライドギヤに噛合していない状態にて第２スライドギヤに噛合する第２噛合状態と、のいずれかの状態に維持される。また、第２ラックは、第３スライドギヤが円弧状に形成されることで、第２付勢部の付勢力に応じて、第３スライドギヤに噛合する第３噛合状態と、第３スライドギヤに噛合していない状態にて第４スライドギヤに噛合する第４噛合状態と、のいずれかの状態に維持される。また、第１スライドギヤは、第１噛合状態中に、第１係合爪と係合穴との係合が解除されて、第１係合爪が次の係合穴に対して係合可能な位置まで第１ロック部がスライド方向に沿って所定距離にて当該第１スライドギヤに対して相対移動するように形成され、第２スライドギヤは、第２噛合状態中に、第１係合爪と係合穴とが係合した状態で、当該第２スライドギヤがスライド方向に沿って所定距離にて第１ロック部に対して相対移動するように形成される。また、第３スライドギヤは、第３噛合状態中に、第２係合爪と係合穴との係合が解除されて、第２係合爪が次の係合穴に対して係合可能な位置まで第２ロック部がスライド方向に沿って所定距離にて当該第３スライドギヤに対して相対移動するように形成され、第４スライドギヤは、第４噛合状態中に、第２係合爪と係合穴とが係合した状態で、当該第４スライドギヤがスライド方向に沿って所定距離にて第２ロック部に対して相対移動するように形成される。
【０００９】
これにより、第２スライドギヤ及び第４スライドギヤが第１スライドギヤ及び第３スライドギヤに対して逆回転の関係となる。そして、第２噛合状態及び第３噛合状態では、係合解除状態の第２係合爪が次の係合穴に対して係合可能な位置まで第２ロック部がスライド方向に沿って所定距離にて第３スライドギヤに対して相対移動するとともに、第１係合爪が係合穴に係合した状態で第２スライドギヤがスライド方向に沿って上記所定距離にて第１ロック部に対して相対移動する。その後の第１噛合状態及び第４噛合状態では、係合解除状態の第１係合爪が次の係合穴に対して係合可能な位置まで第１ロック部がスライド方向に沿って所定距離にて第１スライドギヤに対して相対移動するとともに、第２係合爪が係合穴に係合した状態で第４スライドギヤがスライド方向に沿って上記所定距離にて第２ロック部に対して相対移動する。このため、入力側ギヤ、第１ギヤ、第２ギヤ、第３ギヤ及び第４ギヤをギヤ部とするとき、第１スライドギヤ及び第３スライドギヤが一回転するごとに、ロアレールに対して、スライド機構のうち、第２噛合状態及び第３噛合状態にて第２ロック部がギヤ部を基準にスライド方向に所定距離移動する際にギヤ部が係合状態の第１ロック部を基準にスライド方向に上記所定距離移動し、その後の第１噛合状態及び第４噛合状態にて第１ロック部がギヤ部を基準にスライド方向に上記所定距離移動する際にギヤ部が係合状態の第２ロック部を基準にスライド方向に上記所定距離移動する。すなわち、係合状態の第１ロック部を基準とするギヤ部及び第２ロック部の相対移動と、係合状態の第２ロック部を基準とするギヤ部及び第１ロック部の相対移動とが交互に繰り返されるようにして、スライド機構がロアレールに対してスライド方向に移動するので、スライド量が比較的長いシートスライド装置やスライド量が比較的短いシートスライド装置に同じスライド機構を採用することができる。したがって、スライド量が長くなるためにスライド機構が重くなることもなく、スライド量にかかわらず同じスライド機構を採用可能なシートスライド装置を実現することができる。
【００１０】
請求項２の発明では、同軸的に円弧状の第１スライドギヤが設けられる第１ギヤと同軸的に第２スライドギヤが設けられる第２ギヤとのうちの一方は、他方と入力側ギヤとの双方に噛合している。また、同軸的に円弧状の第３スライドギヤが設けられる第３ギヤと同軸的に第４スライドギヤが設けられる第４ギヤとのうちの一方は他方と入力側ギヤとの双方に噛合している。また、一側に第１スライドギヤ及び第２スライドギヤに噛合可能な第１ラックが形成され、他側にロアレールの係合穴に係合可能な所定数の第１係合爪が形成される第１ロック部は、第１ラックが第１スライドギヤ及び第２スライドギヤのいずれか一方に押し付けられる方向であって、第１係合爪と係合穴との係合を解除する方向に、第１付勢部により付勢される。また、一側に第３スライドギヤ及び第４スライドギヤに噛合可能な第２ラックが形成され、他側にロアレールの係合穴に係合可能な所定数の第２係合爪が形成される第２ロック部は、第２ラックが第３スライドギヤ及び第４スライドギヤのいずれか一方に押し付けられる方向であって、第２係合爪と係合穴との係合を解除する方向に、第２付勢部により付勢される。そして、第１ラックは、第１スライドギヤが円弧状に形成されることで、第１付勢部の付勢力に応じて、第１スライドギヤに噛合する第１噛合状態と、第１スライドギヤに噛合していない状態にて第２スライドギヤに噛合する第２噛合状態と、のいずれかの状態に維持される。また、第２ラックは、第３スライドギヤが円弧状に形成されることで、第２付勢部の付勢力に応じて、第３スライドギヤに噛合する第３噛合状態と、第３スライドギヤに噛合していない状態にて第４スライドギヤに噛合する第４噛合状態と、のいずれかの状態に維持される。また、第２スライドギヤは、第２噛合状態中に、第１係合爪と係合穴との係合が解除されて、第１係合爪が次の係合穴に対して係合可能な位置まで第１ロック部がスライド方向に沿って所定距離にて当該第２スライドギヤに対して相対移動するように形成され、第１スライドギヤは、第１噛合状態中に、第１係合爪と係合穴とが係合した状態で、当該第１スライドギヤがスライド方向に沿って上記所定距離にて第１ロック部に対して相対移動するように形成される。また、第４スライドギヤは、第４噛合状態中に、第２係合爪と係合穴との係合が解除されて、第２係合爪が次の係合穴に対して係合可能な位置まで第２ロック部がスライド方向に沿って上記所定距離にて当該第４スライドギヤに対して相対移動するように形成され、第３スライドギヤは、第３噛合状態中に、第２係合爪と係合穴とが係合した状態で、当該第３スライドギヤがスライド方向に沿って上記所定距離にて第２ロック部に対して相対移動するように形成される。
【００１１】
このようにしても、請求項１の発明と同様に、係合状態の第１ロック部を基準とするギヤ部及び第２ロック部の相対移動と、係合状態の第２ロック部を基準とするギヤ部及び第１ロック部の相対移動とが交互に繰り返されるようにして、スライド機構がロアレールに対してスライド方向に移動するので、スライド量が比較的長いシートスライド装置やスライド量が比較的短いシートスライド装置に同じスライド機構を採用することができる。したがって、スライド量が長くなるためにスライド機構が重くなることもなく、スライド量にかかわらず同じスライド機構を採用可能なシートスライド装置を実現することができる。
【００１２】
請求項３では、第１スライドギヤと第２スライドギヤと第３スライドギヤと第４スライドギヤとが同じ形状となるように、第１ギヤと第２ギヤと第３ギヤと第４ギヤとが同じ形状に形成される。各ギヤの歯数やピッチ円径、回転中心位置等を調整することで、各スライドギヤ及び各ギヤを同じ形状としても、係合状態の第１ロック部を基準とするギヤ部及び第２ロック部の相対移動と、係合状態の第２ロック部を基準とするギヤ部及び第１ロック部の相対移動とを交互に繰り返すようにスライドするスライド機構を実現することができる。これにより、ギヤ部に関して更なる標準化を図ることができる。
【図面の簡単な説明】
【００１３】
【図１】第１実施形態に係るシートスライド装置の概略構成を示す斜視図である。
【図２】図２（Ａ）は、図１に示すシートスライド装置の平面図であり、図２（Ｂ）は、図１に示すシートスライド装置の側面図である。
【図３】図１に示すシートスライド装置を後側から見た状態を拡大して示す説明図である。
【図４】シートスライド装置の電気的構成を概略的に示すブロック図である。
【図５】図１からロアレールを除いたアッパーレール等を示す説明図であり、図５（Ａ）は、平面図を示し、図５（Ｂ）は、側面図を示す。
【図６】図４に示すアッパーレール等を後側から見た状態を拡大して示す説明図である。
【図７】図５（Ｂ）のＸ−Ｘ断面を示す断面図である。
【図８】ロック部の説明図であり、図８（Ａ）は、正面図を示し、図８（Ｂ）は、側面図を示し、図８（Ｃ）は、底面図を示す。
【図９】スライド機構を利用したスライドの作動原理を説明するタイミングチャート図の一部である。
【図１０】スライド機構を利用したスライドの作動原理を説明するタイミングチャート図の一部である。
【図１１】第２実施形態に係るシートスライド装置の要部を説明する説明図である。
【図１２】ギヤ部の変形例を説明する説明図であって、図１２（Ａ）は、第１噛合状態及び第４噛合状態にて係合状態の第１ロック部を基準としてギヤ部及び第２ロック部が相対移動する状態を示し、図１２（Ｂ）は、第２噛合状態及び第３噛合状態にて係合状態の第２ロック部を基準としてギヤ部及び第１ロック部が相対移動する状態を示す。
【発明を実施するための最良の形態】
【００１４】
［第１実施形態］
以下、本発明の第１実施形態に係るシートスライド装置について図を参照して説明する。
本実施形態に係るシートスライド装置１０は、電動式スライドシートとして構成される車両用シート（図示略）を前後スライド可能に車両フロア等の床面（図示略）に固定する装置である。このシートスライド装置１０は、図１〜図３に示すように、主に、床面に固定されるロアレール２０と、車両用シートに固定されるアッパーレール３０と、アッパーレール３０をロアレール２０に対してスライドさせるためのスライド機構５０とをそれぞれ左右一対備えるように構成されている。
【００１５】
また、シートスライド装置１０は、図４に示すように、一対のスライド機構５０を駆動するためのモータ４１と、ロアレール２０に対するアッパーレール３０のスライド位置を調整する際に操作される操作部４２と、操作部４２の操作に応じてモータ４１を回転駆動させる制御部４３とを備えている。以下、シートスライド装置１０の長手方向（図２の左右方向）を前後方向として、シートスライド装置１０を構成する各要素について詳述する。なお、図１及び図２では、一組のロアレール２０及びアッパーレール３０等を備える一方のレールを図示しており、他方のレールに関しては、便宜上、図示を省略している。
【００１６】
ロアレール２０は、長尺のレール状に形成されており、図２及び図３に示すように、床面に固定される底壁２１と、この底壁２１の両側にそれぞれ設けられる一側案内部２２ａ及び他側案内部２２ｂとを有するように形成される。一側案内部２２ａ及び他側案内部２２ｂは、アッパーレール３０に支持されるローラー３３を囲うようにして案内するもので、一側案内部２２ａ及び他側案内部２２ｂには、対向するように配置されてローラー３３が転がり接触する上面２３及び底面２４と、上面２３及び底面２４を連結する連結面２５とがそれぞれ形成されている。また、一側案内部２２ａ及び他側案内部２２ｂには、それぞれ上面２３の内側端から垂下するように内壁部２６が連なっている。一側案内部２２ａに連なる内壁部２６には、後述する第１ロック部７０ａの各第１係合爪７２ａや第２ロック部７０ｂの各第２係合爪７２ｂと係合可能な複数の係合穴２７が長手方向に沿って等間隔にて形成されている。
【００１７】
アッパーレール３０は、電動式スライドシート用のアッパーレールであって、モータ４１の回転駆動を利用してスライド制御を行なうためのスライド機構５０が組み付けられている。このアッパーレール３０は、図５及び図６に示すように、左右一対として配置される第１アッパーレール３１及び第２アッパーレール３２を備え、第１アッパーレール３１及び第２アッパーレール３２の前後にローラー３３がそれぞれ回転可能に支持されている。
【００１８】
第１アッパーレール３１と第２アッパーレール３２との間には、第１ロック部７０ａ及び第２ロック部７０ｂをスライド方向に案内するため前後に２つずつ計４つの略円柱状の案内部３４が設けられている。また、第１アッパーレール３１には、図５（Ｂ）及び図６に示すように、案内部３４により案内される第１ロック部７０ａ及び第２ロック部７０ｂのそれぞれの一部が挿通する開口３１ａ，３１ｂ，３１ｃがスライド方向に長くなるように形成されている。
【００１９】
スライド機構５０は、ギヤ部６０と、前後一対の第１ロック部７０ａ及び第２ロック部７０ｂと第１付勢部８０ａ及び第２付勢部８０ｂとを備えている。ギヤ部６０は、図７に示すように、モータ４１の回転力に応じて回転する入力側ギヤ６１と、第１ギヤ６２及び第２ギヤ６３と、第３ギヤ６４及び第４ギヤ６５と、アッパーレール３０に組み付けられて各ギヤ６１〜６５を回転可能に支持するギヤケース６６とを備えている。第１ギヤ６２及び第３ギヤ６４は、同じ形状であって、第１ギヤ６２には、同軸的に円弧状の第１スライドギヤ６２ａが設けられ、第３ギヤ６４には、同軸的に第１スライドギヤ６２ａと同じ形状の第３スライドギヤ６４ａが設けられている。第２ギヤ６３及び第４ギヤ６５は、同じ形状であって、第２ギヤ６３には、同軸的に円状の第２スライドギヤ６３ａが設けられ、第４ギヤ６５には、同軸的に第２スライドギヤ６３ａと同じ形状の第４スライドギヤ６５ａが設けられている。第２ギヤ６３は、第１ギヤ６２と入力側ギヤ６１との双方に噛合しており、第１ギヤ６２と第２ギヤ６３とが逆回転の関係となる。第４ギヤ６５は、第３ギヤ６４と入力側ギヤ６１との双方に噛合しており、第３ギヤ６４と第４ギヤ６５とが逆回転の関係となる。なお、図７及び後述する図９，図１０では、便宜上、ギヤ部６０における各ギヤの歯を省略し円状又は円弧状のピッチ円にて図示している。
【００２０】
ギヤケース６６には、第１スライドギヤ６２ａ及び第２スライドギヤ６３ａを第１アッパーレール３１側に露出させるための開口６６ａが形成されている。第１ギヤ６２及び第２ギヤ６３は、開口６６ａを介して、第１スライドギヤ６２ａ及び第２スライドギヤ６３ａが第１アッパーレール３１の開口３１ａに対向するように、ギヤケース６６に支持されている。特に、第１ギヤ６２及び第２ギヤ６３は、図７からわかるように、第１スライドギヤ６２ａを円状としたときのピッチ円が第２スライドギヤ６３ａのピッチ円よりも第１アッパーレール３１側となるように、ギヤケース６６に支持されている。
【００２１】
また、ギヤケース６６には、第３スライドギヤ６４ａ及び第４スライドギヤ６５ａを第１アッパーレール３１側に露出させるための開口６６ｂが形成されている。第３ギヤ６４及び第４ギヤ６５は、開口６６ｂを介して、第３スライドギヤ６４ａ及び第４スライドギヤ６５ａが第１アッパーレール３１の開口３１ａに対向するように、ギヤケース６６に支持されている。特に、第３ギヤ６４及び第４ギヤ６５は、図７からわかるように、第３スライドギヤ６４ａを円状としたときのピッチ円が第４スライドギヤ６５ａのピッチ円よりも第１アッパーレール３１側となるように、ギヤケース６６に支持されている。
【００２２】
第１ロック部７０ａ及び第２ロック部７０ｂは、同じ形状であり、第１ロック部７０ａを例に、図８を参照して説明する。
図８に示すように、第１ロック部７０ａは、第１スライドギヤ６２ａ及び第２スライドギヤ６３ａに噛合可能な第１ラック７１ａと、ロアレール２０の係合穴２７に係合可能な所定数の第１係合爪７２ａと、第１ラック７１ａと各第１係合爪７２ａとを連結する連結部７３とを備えている。第１ラック７１ａ及び各第１係合爪７２ａは、連結部７３における一側の上端及び下端から同じ方向に延出するように形成されている。各第１係合爪７２ａは、第１ラック７１ａが第２スライドギヤ６３ａに噛合する際に、ロアレール２０の係合穴２７に係合するように形成されている。特に、各第１係合爪７２ａは、係合穴２７に対して円滑に係合するため、先端側ほど幅が狭くなるように形成されている。連結部７３には、アッパーレール３０への組み付け時に２つの案内部３４が挿通する開口７４が、スライド方向に長くなるように形成されている。
【００２３】
第２ロック部７０ｂは、図８からわかるように、第１ラック７１ａ及び各第１係合爪７２ａと同じ形状となる第２ラック７１ｂ及び各第２係合爪７２ｂが、連結部７３における一側の上端及び下端から同じ方向に延出するように形成されている。第２ロック部７０ｂの第２ラック７１ｂは、第３スライドギヤ６４ａ及び第４スライドギヤ６５ａに噛合可能に形成され、各第２係合爪７２ｂは、第２ラック７１ｂが第４スライドギヤ６５ａに噛合する際に、ロアレール２０の係合穴２７に係合するように形成されている。
【００２４】
このように構成される第１ロック部７０ａ及び第２ロック部７０ｂは、図６に示すように、連結部７３の開口７４に両案内部３４が挿通し、第１ラック７１ａ及び第２ラック７１ｂが開口３１ａに挿通し、各第１係合爪７２ａ及び各第２係合爪７２ｂが開口３１ｂに挿通するように、それぞれアッパーレール３０に組み付けられている。
【００２５】
この組み付け状態では、第１ロック部７０ａ及び第２ロック部７０ｂは、それぞれ開口７４を挿通する両案内部３４によってスライド方向に案内可能な状態となる。また、第１ロック部７０ａの第１ラック７１ａは、アッパーレール３０に組み付けられたギヤ部６０の第１スライドギヤ６２ａ及び第２スライドギヤ６３ａに対向した状態となる。また、第２ロック部７０ｂの第２ラック７１ｂは、アッパーレール３０に組み付けられたギヤ部６０の第３スライドギヤ６４ａ及び第４スライドギヤ６５ａに対向した状態となる。
【００２６】
第１付勢部８０ａは、コイルスプリングとして構成されており、第２アッパーレール３２に組み付けられた状態で、第１ロック部７０ａの連結部７３を第１アッパーレール３１に向けて付勢するように配置されている。このため、第１付勢部８０ａは、第１ロック部７０ａの第１ラック７１ａを第１スライドギヤ６２ａ及び第２スライドギヤ６３ａのいずれか一方に押し付ける方向であって、各第１係合爪７２ａを対向する係合穴２７に係合させる方向に、第１ロック部７０ａを付勢するように機能する。
【００２７】
第２付勢部８０ｂは、第１付勢部８０ａと同様にコイルスプリングとして構成されており、第２アッパーレール３２に組み付けられた状態で、第２ロック部７０ｂの連結部７３を第１アッパーレール３１に向けて付勢するように配置されている。このため、第２付勢部８０ｂは、第２ロック部７０ｂの第２ラック７１ｂを第３スライドギヤ６４ａ及び第４スライドギヤ６５ａのいずれか一方に押し付ける方向であって、各第２係合爪７２ｂを対向する係合穴２７に係合させる方向に、第２ロック部７０ｂを付勢するように機能する。
【００２８】
このような付勢状態では、円弧状に形成される第１スライドギヤ６２ａが円状に形成される第２スライドギヤ６３ａよりも第１ラック７１ａ側に位置する場合があるため、第１ロック部７０ａの第１ラック７１ａが第１スライドギヤ６２ａに噛合する噛合状態（以下、第１噛合状態ともいう）と、第１ラック７１ａが第１スライドギヤ６２ａに噛合していない状態にて第２スライドギヤ６３ａに噛合する噛合状態（以下、第２噛合状態ともいう）と、のいずれかの状態に維持される。
【００２９】
同様に、円弧状に形成される第３スライドギヤ６４ａが円状に形成される第４スライドギヤ６５ａよりも第２ラック７１ｂ側に位置する場合があるため、第２ロック部７０ｂの第２ラック７１ｂが第３スライドギヤ６４ａに噛合する噛合状態（以下、第３噛合状態ともいう）と、第２ラック７１ｂが第３スライドギヤ６４ａに噛合していない状態にて第４スライドギヤ６５ａに噛合する噛合状態（以下、第４噛合状態ともいう）と、のいずれかの状態に維持される。
【００３０】
そして、上述のように構成されるスライド機構５０が組み付けられたアッパーレール３０は、各ローラー３３が一側案内部２２ａ及び他側案内部２２ｂに案内されるようにしてロアレール２０に組み付けられる。この組み付け状態では、第１付勢部８０ａにより付勢された第１ロック部７０ａの第１ラック７１ａが第２スライドギヤ６３ａに噛合するか、第２付勢部８０ｂにより付勢された第２ロック部７０ｂの第２ラック７１ｂが第４スライドギヤ６５ａに噛合して、開口３１ｂを挿通した第１係合爪７２ａが係合穴２７に係合するか、開口３１ｂを挿通した第２係合爪７２ｂが係合穴２７に係合することで、アッパーレール３０がロアレール２０に対してスライド不能なロック状態となる。
【００３１】
次に、本実施形態の特徴的構成について詳述する。
本実施形態では、第１スライドギヤ６２ａは、第１噛合状態中に、第１ロック部７０ａの第１ラック７１ａを第１付勢部８０ａによる付勢力に抗してロック解除方向に所定量以上押し込むことで、第１係合爪７２ａとロアレール２０の係合穴２７との係合が解除されるように配置されている。さらに、第１スライドギヤ６２ａは、１回転中の第１噛合状態時において、第１ラック７１ａの押し込み量が上記所定量以上となる間、第１ロック部７０ａが、スライド方向に沿って所定距離にて当該第１スライドギヤ６２ａに対して相対移動し、第１ラック７１ａの押し込み量が上記所定量未満に変わったときに、第１係合爪７２ａが次の係合穴２７に噛合するように形成されている。すなわち、第１スライドギヤ６２ａは、上記所定距離が、係合している係合穴２７から次に係合する予定の係合穴２７までのスライド方向の距離となるように調整されている。なお、この調整は、第１スライドギヤ６２ａの歯数やピッチ円径、回転中心位置等に応じて行うことができる。
【００３２】
また、第２スライドギヤ６３ａは、第２噛合状態時に、第１ロック部７０ａの第１係合爪７２ａとロアレール２０の係合穴２７との係合状態が維持されるように配置されている。さらに、第２スライドギヤ６３ａは、１回転中の第２噛合状態時に、ロアレール２０に係合している第１ロック部７０ａに対して、スライド方向に沿って上記所定距離にて相対移動するように調整されている。なお、この調整は、第２スライドギヤ６３ａの歯数やピッチ円径、回転中心位置等に応じて行うことができる。
【００３３】
また、第３スライドギヤ６４ａは、第３噛合状態中に、第２ロック部７０ｂの第２ラック７１ｂを第２付勢部８０ｂによる付勢力に抗してロック解除方向に所定量以上押し込むことで、第２係合爪７２ｂとロアレール２０の係合穴２７との係合が解除されるように配置されている。さらに、第３スライドギヤ６４ａは、１回転中の第３噛合状態時において、第２ラック７１ｂの押し込み量が上記所定量以上となる間、第２ロック部７０ｂが、スライド方向に沿って上記所定距離にて当該第３スライドギヤ６４ａに対して相対移動し、第２ラック７１ｂの押し込み量が上記所定量未満に変わったときに、第２係合爪７２ｂが次の係合穴２７に噛合するように形成されている。すなわち、第３スライドギヤ６４ａは、上記所定距離が、係合している係合穴２７から次に係合する予定の係合穴２７までのスライド方向の距離となるように調整されている。なお、この調整は、第１スライドギヤ６２ａと同様に、第３スライドギヤ６４ａの歯数やピッチ円径、回転中心位置等に応じて行うことができる。
【００３４】
また、第４スライドギヤ６５ａは、第４噛合状態時に、第２ロック部７０ｂの第２係合爪７２ｂとロアレール２０の係合穴２７との係合状態が維持されるように配置されている。さらに、第４スライドギヤ６５ａは、１回転中の第４噛合状態時に、ロアレール２０に係合している第２ロック部７０ｂに対して、スライド方向に沿って上記所定距離にて相対移動するように調整されている。なお、この調整は、第２スライドギヤ６３ａと同様に、第４スライドギヤ６５ａの歯数やピッチ円径、回転中心位置等に応じて行うことができる。
【００３５】
特に、各ギヤ６１〜６５は、第１ロック部７０ａと第２ロック部７０ｂとの双方が同時にロック解除状態となることを避けるため、第１噛合状態と第３噛合状態とが同時に生じないように配置されている。
【００３６】
このように構成されるスライド機構５０を利用したスライドの作動原理について、モータ４１の回転力に応じて入力側ギヤ６１が所定方向に回転する場合を例に、図９及び図１０に示すタイミングチャート図を参照して、以下に詳述する。
【００３７】
図９（Ａ）からわかるように、第２噛合状態及び第４噛合状態では、第１ロック部７０ａの各第１係合爪７２ａと第２ロック部７０ｂの各第２係合爪７２ｂとがそれぞれロアレール２０の係合穴２７に係合し、第２スライドギヤ６３ａが第１ロック部７０ａの第１ラック７１ａに噛合し、第４スライドギヤ６５ａが第２ロック部７０ｂの第２ラック７１ｂに噛合している。このため、ギヤ部６０は、第２スライドギヤ６３ａ及び第４スライドギヤ６５ａの回転に応じて、ロアレール２０に係合している第１ロック部７０ａ及び第２ロック部７０ｂに対して、スライド方向に沿って相対移動する。
【００３８】
そして、図９（Ａ）に示すように、第３スライドギヤ６４ａと第２ロック部７０ｂの第２ラック７１ｂとが噛合し始め、第４噛合状態から第３噛合状態に移行すると、第３スライドギヤ６４ａによって第２ラック７１ｂが押し込まれ始め、第２ロック部７０ｂが第２付勢部８０ｂの付勢力に抗してロック解除方向に移動し始める。その一方で、第１ロック部７０ａでは、第２噛合状態が維持されているため、ギヤ部６０は、第２スライドギヤ６３ａの回転に応じて、ロアレール２０に係合している第１ロック部７０ａに対して、スライド方向に沿って相対移動する。
【００３９】
その後、図９（Ｂ）に示すように、第３スライドギヤ６４ａによって第２ラック７１ｂが所定量以上押し込まれると、第２ロック部７０ｂの第２係合爪７２ｂとロアレール２０の係合穴２７との係合が解除される。この解除状態では、図９（Ｂ）からわかるように、第３スライドギヤ６４ａの回転に応じて第２ロック部７０ｂがスライド方向に沿って当該第３スライドギヤ６４ａに対して相対移動し始める。さらに、第３スライドギヤ６４ａが回転することで、第２ロック部７０ｂがスライド方向に沿って当該第３スライドギヤ６４ａに対してさらに相対移動する。その一方で、第１ロック部７０ａでは、第２噛合状態が維持されているため、ギヤ部６０は、第２スライドギヤ６３ａの回転に応じて、ロアレール２０に係合している第１ロック部７０ａに対して、スライド方向に沿って相対移動する。
【００４０】
そして、図９（Ｃ）に示すように、第３スライドギヤ６４ａがさらに回転することで、第２ラック７１ｂの押し込み量が減少し始めても、当該押し込み量が上記所定量以上である間、第２ロック部７０ｂのスライド方向への相対移動が継続される。
【００４１】
その後、第２ラック７１ｂの押し込み量が上記所定量未満になると、第２ロック部７０ｂがスライド方向に沿って上記所定距離（図９の例では３つ隣の係合穴２７までの距離に相当）にて相対移動しており、第２係合爪７２ｂが次に係合する予定の係合穴２７まで移動していることから、各第２係合爪７２ｂが対向する係合穴２７に係合し始める。
【００４２】
そして、図９（Ｄ）に示すように、第３スライドギヤ６４ａが第２ラック７１ｂに噛合しない回転角度まで回転すると、第３噛合状態から第４噛合状態に移行する。この状態では、各第２係合爪７２ｂがそれぞれ係合穴２７への係合を完了した直後であり、第４スライドギヤ６５ａが噛合している第２ラック７１ｂに対して当該第４スライドギヤ６５ａの回転に応じてスライド方向に沿って相対移動し始める。その一方で、第１ロック部７０ａでは、第２噛合状態が維持されている。すなわち、第１スライドギヤ６２ａが第１ラック７１ａに噛合し始めるまで、ギヤ部６０が、第２スライドギヤ６３ａ及び第４スライドギヤ６５ａの回転に応じて、ロアレール２０に係合している第１ロック部７０ａ及び第２ロック部７０ｂに対して、スライド方向に沿って相対移動する。
【００４３】
そして、図９（Ｅ）に示すように、第１スライドギヤ６２ａと第１ロック部７０ａの第１ラック７１ａとが噛合し始め、第２噛合状態から第１噛合状態に移行すると、第１スライドギヤ６２ａによって第１ラック７１ａが押し込まれ始め、第１ロック部７０ａが第１付勢部８０ａの付勢力に抗してロック解除方向に移動し始める。その一方で、第２ロック部７０ｂでは、第４噛合状態が維持されているため、ギヤ部６０は、第４スライドギヤ６５ａの回転に応じて、ロアレール２０に係合している第２ロック部７０ｂに対して、スライド方向に沿って相対移動する。
【００４４】
その後、図１０（Ａ）に示すように、第１スライドギヤ６２ａによって第１ロック部７０ａの第１ラック７１ａが所定量以上押し込まれると、第１ロック部７０ａの第１係合爪７２ａとロアレール２０の係合穴２７との係合が解除される。この解除状態では、図１０（Ｂ）からわかるように、第１スライドギヤ６２ａの回転に応じて第１ロック部７０ａがスライド方向に沿って当該第１スライドギヤ６２ａに対して相対移動し始める。さらに、第１スライドギヤ６２ａが回転することで、第１ロック部７０ａがスライド方向に沿って当該第１スライドギヤ６２ａに対してさらに相対移動する。その一方で、第２ロック部７０ｂでは、第４噛合状態が維持されているため、ギヤ部６０は、第４スライドギヤ６５ａの回転に応じて、ロアレール２０に係合している第２ロック部７０ｂに対して、スライド方向に沿って相対移動する。
【００４５】
そして、図１０（Ｂ）に示すように、第１スライドギヤ６２ａがさらに回転することで、第１ラック７１ａの押し込み量が減少し始めても、当該押し込み量が上記所定量以上である間、第１ロック部７０ａのスライド方向への相対移動が継続される。
【００４６】
その後、第１ラック７１ａの押し込み量が上記所定量未満になると、第１ロック部７０ａがスライド方向に沿って上記所定距離にて相対移動しており、第１係合爪７２ａが次に係合する予定の係合穴２７まで移動していることから、各第１係合爪７２ａが対向する係合穴２７に係合し始める。
【００４７】
そして、図１０（Ｃ）に示すように、第１スライドギヤ６２ａが第１ラック７１ａに噛合しない回転角度まで回転すると、第１噛合状態から第２噛合状態に移行する。この状態では、各第１係合爪７２ａがそれぞれ係合穴２７への係合を完了した直後であり、第２スライドギヤ６３ａが噛合している第１ラック７１ａに対して当該第２スライドギヤ６３ａの回転に応じてスライド方向に沿って相対移動し始める。その一方で、第２ロック部７０ｂでは、第４噛合状態が維持されている。すなわち、第３スライドギヤ６４ａが第２ラック７１ｂに噛合し始めるまで、ギヤ部６０が、第２スライドギヤ６３ａ及び第４スライドギヤ６５ａの回転に応じて、ロアレール２０に係合している第１ロック部７０ａ及び第２ロック部７０ｂに対して、スライド方向に沿って相対移動する。
【００４８】
そして、図１０（Ｄ）に示すように、第３スライドギヤ６４ａと第２ロック部７０ｂの第２ラック７１ｂとが噛合し始めると、上述した図９（Ａ）にて示すように第４噛合状態から第３噛合状態に移行する噛合状態となる。
【００４９】
このように、スライド機構５０では、第２噛合状態及び第３噛合状態では、係合解除状態の第２係合爪７２ｂが次の係合穴２７に対して係合可能な位置まで第２ロック部７０ｂがスライド方向に沿って所定距離にて第３スライドギヤ６４ａに対して相対移動するとともに、第１係合爪７２ａが係合穴２７に係合した状態で第２スライドギヤ６３ａがスライド方向に沿って上記所定距離にて第１ロック部７０ａに対して相対移動する。その後の第１噛合状態及び第４噛合状態では、係合解除状態の第１係合爪７２ａが次の係合穴２７に対して係合可能な位置まで第１ロック部７０ａがスライド方向に沿って上記所定距離にて第１スライドギヤ６２ａに対して相対移動するとともに、第２係合爪７２ｂが係合穴２７に係合した状態で第４スライドギヤ６５ａがスライド方向に沿って上記所定距離にて第２ロック部７０ｂに対して相対移動する。このため、第１スライドギヤ６２ａ及び第３スライドギヤ６４ａが一回転するごとに、ロアレール２０に対して、スライド機構５０のうち、第２噛合状態及び第３噛合状態にて第２ロック部７０ｂがギヤ部６０を基準にスライド方向に所定距離移動する際にギヤ部６０が係合状態の第１ロック部７０ａを基準にスライド方向に上記所定距離移動し、その後の第１噛合状態及び第４噛合状態にて第１ロック部７０ａがギヤ部６０を基準にスライド方向に上記所定距離移動する際にギヤ部６０が係合状態の第２ロック部７０ｂを基準にスライド方向に上記所定距離移動する。すなわち、係合状態の第１ロック部７０ａを基準とするギヤ部６０及び第２ロック部７０ｂの相対移動と、係合状態の第２ロック部７０ｂを基準とするギヤ部６０及び第１ロック部７０ａの相対移動とが交互に繰り返されるようにして、スライド機構５０がロアレール２０に対してスライド方向に移動する。このため、モータ４１の回転に応じて、スライド機構５０が組み付けられるアッパーレール３０をロアレール２０に対してスライドさせることができる。
【００５０】
なお、本実施形態では、第２ギヤ６３が第１ギヤ６２と入力側ギヤ６１との双方に噛合し、第４ギヤ６５が第３ギヤ６４と入力側ギヤ６１との双方に噛合するように構成されているが、第１ギヤ６２が第２ギヤ６３と入力側ギヤ６１との双方に噛合し、第３ギヤ６４が第４ギヤ６５と入力側ギヤ６１との双方に噛合するように構成されてもよい。
【００５１】
以上説明したように、本実施形態に係るシートスライド装置１０では、同軸的に円弧状の第１スライドギヤ６２ａが設けられる第１ギヤ６２と同軸的に第２スライドギヤ６３ａが設けられる第２ギヤ６３とのうちの一方は、他方と入力側ギヤ６１との双方に噛合している。また、同軸的に円弧状の第３スライドギヤ６４ａが設けられる第３ギヤ６４と同軸的に第４スライドギヤ６５ａが設けられる第４ギヤ６５とのうちの一方は他方と入力側ギヤ６１との双方に噛合している。また、第１スライドギヤ６２ａ及び第２スライドギヤ６３ａに噛合可能な第１ラック７１ａと、ロアレール２０の係合穴２７に係合可能な所定数の第１係合爪７２ａとが一側に形成される第１ロック部７０ａは、第１ラック７１ａが第１スライドギヤ６２ａ及び第２スライドギヤ６３ａのいずれか一方に押し付けられる方向であって、第１係合爪７２ａを係合穴２７に係合させる方向に、第１付勢部８０ａにより付勢される。また、第３スライドギヤ６４ａ及び第４スライドギヤ６５ａに噛合可能な第２ラック７１ｂと、ロアレール２０の係合穴２７に係合可能な所定数の第２係合爪７２ｂとが一側に形成される第２ロック部７０ｂは、第２ラック７１ｂが第３スライドギヤ６４ａ及び第４スライドギヤ６５ａのいずれか一方に押し付けられる方向であって、第２係合爪７２ｂを係合穴２７に係合させる方向に、第２付勢部８０ｂにより付勢される。そして、第１ラック７１ａは、第１スライドギヤ６２ａが円弧状に形成されることで、第１付勢部８０ａの付勢力に応じて、第１スライドギヤ６２ａに噛合する第１噛合状態と、第１スライドギヤ６２ａに噛合していない状態にて第２スライドギヤ６３ａに噛合する第２噛合状態と、のいずれかの状態に維持される。また、第２ラック７１ｂは、第３スライドギヤ６４ａが円弧状に形成されることで、第２付勢部８０ｂの付勢力に応じて、第３スライドギヤ６４ａに噛合する第３噛合状態と、第３スライドギヤ６４ａに噛合していない状態にて第４スライドギヤ６５ａに噛合する第４噛合状態と、のいずれかの状態に維持される。また、第１スライドギヤ６２ａは、第１噛合状態中に、第１係合爪７２ａと係合穴２７との係合が解除されて、第１係合爪７２ａが次の係合穴２７に対して係合可能な位置まで第１ロック部７０ａがスライド方向に沿って所定距離にて当該第１スライドギヤ６２ａに対して相対移動するように形成され、第２スライドギヤ６３ａは、第２噛合状態中に、第１係合爪７２ａと係合穴２７とが係合した状態で、当該第２スライドギヤ６３ａがスライド方向に沿って所定距離にて第１ロック部７０ａに対して相対移動するように形成される。また、第３スライドギヤ６４ａは、第３噛合状態中に、第２係合爪７２ｂと係合穴２７との係合が解除されて、第２係合爪７２ｂが次の係合穴２７に対して係合可能な位置まで第２ロック部７０ｂがスライド方向に沿って所定距離にて当該第３スライドギヤ６４ａに対して相対移動するように形成され、第４スライドギヤ６５ａは、第４噛合状態中に、第２係合爪７２ｂと係合穴２７とが係合した状態で、当該第４スライドギヤ６５ａがスライド方向に沿って所定距離にて第２ロック部７０ｂに対して相対移動するように形成される。
【００５２】
これにより、係合状態の第１ロック部７０ａを基準とするギヤ部６０及び第２ロック部７０ｂの相対移動と、係合状態の第２ロック部７０ｂを基準とするギヤ部６０及び第１ロック部７０ａの相対移動とが交互に繰り返されるようにして、スライド機構５０がロアレール２０に対してスライド方向に移動する。このため、スライド量が比較的長いシートスライド装置やスライド量が比較的短いシートスライド装置に同じスライド機構を採用することができる。したがって、スライド量が長くなるためにスライド機構が重くなることもなく、スライド量にかかわらず同じスライド機構を採用可能なシートスライド装置を実現することができる。
【００５３】
特に、各ギヤ６１〜６５は、第１噛合状態と第３噛合状態とが同時に生じないように配置されるため、第１ロック部７０ａと第２ロック部７０ｂとの双方が同時にロック解除状態となることを防止することができる。
【００５４】
［第２実施形態］
次に、第２実施形態に係るシートスライド装置について、図１１を参照して説明する。
本第２実施形態では、第１ロック部７０ａ及び第２ロック部７０ｂに代えて第１ロック部７０ｃ及び第２ロック部７０ｄを採用する点が、上記第１実施形態と主に異なる。
具体的には、本実施形態に係る第１ロック部７０ｃは、図１１からわかるように、連結部７３における一側に第１ラック７１ａが形成され、この一側に対して反対側（裏側）となる他側に各第１係合爪７２ａが形成されている。同様に、第２ロック部７０ｄは、連結部７３における一側に第２ラック７１ｂが形成され、他側に各第２係合爪７２ｂが形成されている。このため、ロアレール２０では、各係合穴２７は、他側案内部２２ｂに連なる内壁部２６に対して長手方向に沿って等間隔にて形成される。また、開口３１ｂ，３１ｃは、各係合穴２７に応じて第２アッパーレール３２に形成される。
【００５５】
そして、第１付勢部８０ａは、第１ラック７１ａを第１スライドギヤ６２ａ及び第２スライドギヤ６３ａのいずれか一方に押し付ける方向であって、第１係合爪７２ａと係合穴２７との係合を解除する方向に、第１ロック部７０ｃを付勢するように機能する。また、第２付勢部８０ｂは、第２ラック７１ｂを第３スライドギヤ６４ａ及び第４スライドギヤ６５ａのいずれか一方に押し付ける方向であって、第２係合爪７２ｂと係合穴２７との係合を解除する方向に、第２ロック部７０ｄを付勢するように機能する。
【００５６】
また、第２スライドギヤ６３ａは、第２噛合状態中に、第１係合爪７２ａと係合穴２７との係合が解除されて、第１係合爪７２ａが次の係合穴２７に対して係合可能な位置まで第１ロック部７０ｃがスライド方向に沿って所定距離にて当該第２スライドギヤ６３ａに対して相対移動するように形成される。また、第１スライドギヤ６２ａは、第１噛合状態中に、第１係合爪７２ａを係合穴２７に係合させて、当該第１スライドギヤ６２ａがスライド方向に沿って上記所定距離にて第１ロック部７０ｃに対して相対移動するように形成される。また、第４スライドギヤ６５ａは、第４噛合状態中に、第２係合爪７２ｂと係合穴２７との係合が解除されて、第２係合爪７２ｂが次の係合穴２７に対して係合可能な位置まで第２ロック部７０ｄがスライド方向に沿って所定距離にて当該第４スライドギヤ６５ａに対して相対移動するように形成される。また、第３スライドギヤ６４ａは、第３噛合状態中に、第２係合爪７２ｂを係合穴２７に係合させて、当該第３スライドギヤ６４ａがスライド方向に沿って上記所定距離にて第２ロック部７０ｄに対して相対移動するように形成される。
【００５７】
すなわち、本実施形態では、上記第１実施形態と同様に、同軸的に円弧状の第１スライドギヤ６２ａが設けられる第１ギヤ６２と同軸的に第２スライドギヤ６３ａが設けられる第２ギヤ６３とのうちの一方は、他方と入力側ギヤ６１との双方に噛合している。また、同軸的に円弧状の第３スライドギヤ６４ａが設けられる第３ギヤ６４と同軸的に第４スライドギヤ６５ａが設けられる第４ギヤ６５とのうちの一方は他方と入力側ギヤ６１との双方に噛合している。また、一側に第１スライドギヤ６２ａ及び第２スライドギヤ６３ａに噛合可能な第１ラック７１ａが形成され、他側にロアレール２０の係合穴２７に係合可能な所定数の第１係合爪７２ａが形成される第１ロック部７０ｃは、第１ラック７１ａが第１スライドギヤ６２ａ及び第２スライドギヤ６３ａのいずれか一方に押し付けられる方向であって、第１係合爪７２ａと係合穴２７との係合を解除する方向に、第１付勢部８０ａにより付勢される。また、一側に第３スライドギヤ６４ａ及び第４スライドギヤ６５ａに噛合可能な第２ラック７１ｂが形成され、他側にロアレール２０の係合穴２７に係合可能な所定数の第２係合爪７２ｂが形成される第２ロック部７０ｄは、第２ラック７１ｂが第３スライドギヤ６４ａ及び第４スライドギヤ６５ａのいずれか一方に押し付けられる方向であって、第２係合爪７２ｂと係合穴２７との係合を解除する方向に、第２付勢部８０ｂにより付勢される。そして、第１ラック７１ａは、第１スライドギヤ６２ａが円弧状に形成されることで、第１付勢部８０ａの付勢力に応じて、第１スライドギヤ６２ａに噛合する第１噛合状態と、第１スライドギヤ６２ａに噛合していない状態にて第２スライドギヤ６３ａに噛合する第２噛合状態と、のいずれかの状態に維持される。また、第２ラック７１ｂは、第３スライドギヤ６４ａが円弧状に形成されることで、第２付勢部８０ｂの付勢力に応じて、第３スライドギヤ６４ａに噛合する第３噛合状態と、第３スライドギヤ６４ａに噛合していない状態にて第４スライドギヤ６５ａに噛合する第４噛合状態と、のいずれかの状態に維持される。また、第２スライドギヤ６３ａは、第２噛合状態中に、第１係合爪７２ａと係合穴２７との係合が解除されて、第１係合爪７２ａが次の係合穴２７に対して係合可能な位置まで第１ロック部７０ｃがスライド方向に沿って所定距離にて当該第２スライドギヤ６３ａに対して相対移動するように形成され、第１スライドギヤ６２ａは、第１噛合状態中に、第１係合爪７２ａと係合穴２７とが係合した状態で、当該第１スライドギヤ６２ａがスライド方向に沿って上記所定距離にて第１ロック部７０ｃに対して相対移動するように形成される。また、第４スライドギヤ６５ａは、第４噛合状態中に、第２係合爪７２ｂと係合穴２７との係合が解除されて、第２係合爪７２ｂが次の係合穴２７に対して係合可能な位置まで第２ロック部７０ｄがスライド方向に沿って上記所定距離にて当該第４スライドギヤ６５ａに対して相対移動するように形成され、第３スライドギヤ６４ａは、第３噛合状態中に、第２係合爪７２ｂと係合穴２７とが係合した状態で、当該第３スライドギヤ６４ａがスライド方向に沿って上記所定距離にて第２ロック部７０ｄに対して相対移動するように形成される。そして、第１ロック部７０ｃと第２ロック部７０ｄとの双方が同時にロック解除状態となることを避けるため、第２噛合状態と第４噛合状態とが同時に生じないように、第１スライドギヤ６２ａ及び第３スライドギヤ６４ａの円弧長さ等が調整されている。
【００５８】
このようにしても、上記第１実施形態と同様に、係合状態の第１ロック部７０ｃを基準とするギヤ部６０及び第２ロック部７０ｄの相対移動と、係合状態の第２ロック部７０ｄを基準とするギヤ部６０及び第１ロック部７０ｃの相対移動とが交互に繰り返されるようにして、スライド機構がロアレールに対してスライド方向に移動するので、スライド量が比較的長いシートスライド装置やスライド量が比較的短いシートスライド装置に同じスライド機構を採用することができる。したがって、スライド量が長くなるためにスライド機構が重くなることもなく、スライド量にかかわらず同じスライド機構を採用可能なシートスライド装置を実現することができる。
【００５９】
［他の実施形態］
なお、本発明は上記実施形態等に限定されるものではなく、例えば、以下のように具体化してもよい。
（１）第２スライドギヤ６３ａ及び第４スライドギヤ６５ａは、円状に形成されることに限らず、円弧状に形成されてもよい。特に、図１２（Ａ）（Ｂ）にて模式的に例示するギヤ部６０ａのように、第１スライドギヤ６２ａと第２スライドギヤ６３ａと第３スライドギヤ６４ａと第４スライドギヤ６５ａとが同じ半円弧形状となるように、第１ギヤ６２と第２ギヤ６３と第３ギヤ６４と第４ギヤ６５とが同じ形状に形成されても、各ギヤの歯数やピッチ円径、回転中心位置等を調整することで、上記第２実施形態と同様に、係合状態の第１ロック部７０ｃを基準とするギヤ部６０ａ及び第２ロック部７０ｄの相対移動と、係合状態の第２ロック部７０ｄを基準とするギヤ部６０ａ及び第１ロック部７０ｃの相対移動とを交互に繰り返すようにスライドするスライド機構５０を実現することができる。
なお、図１２は、ギヤ部の変形例を説明する説明図であって、図１２（Ａ）は、第１噛合状態及び第４噛合状態にて係合状態の第１ロック部７０ｃを基準としてギヤ部６０ａ及び第２ロック部７０ｄが相対移動する状態を示し、図１２（Ｂ）は、第２噛合状態及び第３噛合状態にて係合状態の第２ロック部７０ｄを基準としてギヤ部６０ａ及び第１ロック部７０ｃが相対移動する状態を示している。これにより、ギヤ部に関して更なる標準化を図ることができる。上記第１実施形態に係る第１ロック部７０ａ及び第２ロック部７０ｂについても同様な調整により上記効果を奏する。
【００６０】
（２）第１スライドギヤ６２ａ及び第３スライドギヤ６４ａの１回転に応じて各ロック部やギヤ部６０がそれぞれスライドする上記所定距離は、図９及び図１０に例示するように、現在係合している係合穴２７を基準に３つ隣の係合穴２７までの距離として設定されることに限らず、すぐ隣の係合穴２７までの距離や２つ隣の係合穴２７までの距離として設定されてもよいし、４つ以上隣の係合穴２７までの距離として設定されてもよい。
【００６１】
（３）本発明は、自動車や列車のような車両に搭載されるシート用のシートスライド装置として採用されることに限らず、飛行機や船等の乗り物に搭載されるシート用のシートスライド装置として採用されてもよい。
【符号の説明】
【００６２】
１０…シートスライド装置
２０…ロアレール
２７…係合穴
３０…アッパーレール
４１…モータ
５０…スライド機構
６０，６０ａ…ギヤ部
６１…入力側ギヤ
６２…第１ギヤ
６２ａ…第１スライドギヤ
６３…第２ギヤ
６３ａ…第２スライドギヤ
６４…第３ギヤ
６４ａ…第３スライドギヤ
６５…第４ギヤ
６５ａ…第４スライドギヤ
７０ａ，７０ｃ…第１ロック部
７０ｂ，７０ｄ…第２ロック部
７１ａ…第１ラック
７１ｂ…第２ラック
７２ａ…第１係合爪
７２ｂ…第２係合爪
８０ａ…第１付勢部
８０ｂ…第２付勢部
【図１】
2020093750.tif 000003
【図２】
2020093750.tif 000004
【図３】
2020093750.tif 000005
【図４】
2020093750.tif 000006
【図５】
2020093750.tif 000007
【図６】
2020093750.tif 000008
【図７】
2020093750.tif 000009
【図８】
2020093750.tif 000010
【図９】
2020093750.tif 000011
【図１０】
2020093750.tif 000012
【図１１】
2020093750.tif 000013
【図１２】
2020093750.tif 000014